(57)【要約】【課題】キー押下時の画面表示速度を上げると共に、使用者が操作を行わないときの消費電力を抑える。【解決手段】タッチパネル付き端末において、タッチパネルと使用者の指やタッチペンなどのポインタとの距離が第１の閾値と第２の閾値の間にあることを検出すると、プログラムデータを第１のメモリデバイスから第１のメモリデバイスより読み出し速度の速い、第２のメモリデバイスに読み出す。このときプロセッサは実行処理を行わない。ポインタとの距離が第１の閾値よりも小さい値を検出すると、プロセッサはプログラムデータが第２のメモリデバイスにある場合は第２のメモリデバイスからプログラムデータを読み出し、実行する。【選択図】図１
2011253272.tif 000002
【特許請求の範囲】
【請求項１】
筐体と、
前記筐体の表面に配置され、アイコンを表示する表示部と、
前記表示部の表示面に沿って配置され、ポインタの表示面における位置と、ポインタと表示面との距離を検出するタッチパネル部と、
前記アイコンに関連したプログラムデータが保持された第１のメモリデバイスと、
前記第１のメモリデバイスよりアクセススピードの速い第２のメモリデバイスと、
前記プログラムデータを実行するプロセッサと、
前記プロセッサ、前記表示部、前記タッチパネル部、前記第１のメモリデバイス、又は前記第２のメモリデバイスに電力を供給する電池と、を備え、
前記位置が前記アイコンに対応し、かつ前記距離が、第１の閾値と、前記第１の閾値より大きい第２の閾値との間である場合は、前記プログラムデータを前記第１のメモリデバイスから前記第２のメモリデバイスへ移動させ、
前記位置が前記アイコンに対応し、かつ前記距離が、前記第１の閾値より小さい場合、前記プロセッサは、前記第２のメモリデバイスに移動された前記プログラムデータを実行する携帯情報端末。
【請求項２】
請求項１に記載の携帯情報端末であって、
前記位置が前記アイコンに対応し、かつ前記距離が、第１の閾値と、前記第１の閾値より大きい第２の閾値との間である場合は、前記プログラムデータを前記第１のメモリデバイスから前記第２のメモリデバイスへ移動させる共に、前記プロセッサは前記第２のメモリデバイスから前記プログラムデータを読み出さず、
前記位置が前記アイコンに対応し、かつ前記距離が、前記第１の閾値より小さい場合、前記プロセッサは前記第２のメモリデバイスから前記プログラムデータを読み出し実行する携帯情報端末。
【請求項３】
請求項１又は請求項２に記載の携帯情報端末であって、
前記第２の閾値は実質的にゼロであり、前記第１の閾値より小さい場合は、前記ポインタが前記タッチパネルに接触する場合である携帯情報端末。
【請求項４】
請求項１から請求項３の何れか１項に記載の携帯情報端末であって、
前記プログラムデータは、前記表示部に変化を与えるプログラムのデータであり、
前記プロセッサが前記プログラムデータを実行すると前記表示部が変化する携帯情報端末。
【請求項５】
請求項１から請求項４の何れか１項に記載の携帯情報端末であって、
前記第２の閾値より大きい第３の閾値を備え、
前記位置が前記アイコンに対応し、かつ前記距離が、前記第１の閾値と、前記第２の閾値との間である場合は、前記プログラムデータを前記第１のメモリデバイスから前記第２のメモリデバイスへ移動させる共に、前記プロセッサは前記第２のメモリデバイスから前記プログラムデータを読み出さず、  前記位置が前記アイコンに対応し、かつ前記距離が、前記第１の閾値より小さい場合、前記プロセッサは前記第２のメモリデバイスから前記プログラムデータを読み出し実行する第１の状態と、
前記位置が前記アイコンに対応し、かつ前記距離が、第１の閾値と、第３の閾値との間である場合は、前記プログラムデータを前記第１のメモリデバイスから前記第２のメモリデバイスへ移動させる共に、前記プロセッサは前記第２のメモリデバイスから前記プログラムデータを読み出さず、  前記位置が前記アイコンに対応し、かつ前記距離が、前記第１の閾値より小さい場合、前記プロセッサは前記第２のメモリデバイスから前記プログラムデータを読み出し実行する第２の状態と、を備え、
前記携帯情報端末の状態に応じて、前記第１の状態と前記第２の状態を切り替える携帯情報端末。
【請求項６】
請求項５に記載の携帯情報端末であって、
前記第１の閾値と前記第２の閾値が実質的に同一である携帯情報端末。
【請求項７】
請求項５又は請求項６に記載の携帯情報端末であって、
前記筐体の鉛直方向を基準にした角度を検出する傾き検出部を備え、
前記角度が所定の範囲内である場合は、前記第２の状態とし、
前記角度が前記所定の範囲外である場合は、前記第１の状態とする携帯情報端末。
【請求項８】
請求項５から請求項７の何れか１項に記載の携帯情報端末であって、
前記筐体は、開閉可能であり、
前記筐体が開いている場合、前記第２の状態とし、
前記筐体が閉じている場合、前記第１の状態とする携帯情報端末。
【請求項９】
請求項４から請求項７の何れか１項に記載の携帯情報端末であって、
前記電池の残容量が所定値より多い場合第２の状態とし、前記所定値より少ない場合第１の状態とする携帯情報端末。
【発明の詳細な説明】
【技術分野】
【０００１】
本発明は、タッチパネル付きの画面表示を、使用者がキー押下前に画面表示に必要となるプログラムおよびデータを事前にアクセススピードの速いメモリに読み出すことで高速化する携帯電話等の携帯情報端末に関する。
【背景技術】
【０００２】
従来の携帯端末では画面表示を行うにあたり、必要となるプログラムやデータはROM(Read OnlyMemory)に格納されており、使用者がキー押下後にROMより読み出し、表示処理を行っているため、画面表示に時間を要し、操作性が悪くなる。
【０００３】
画面表示を高速化するための手段として、特許文献１の、優先度付きのメニュー画面テーブルを用意しておき、メニュー画面再生動作に余裕のあるときに次に選択されるであろう画面を優先度付きテーブルに応じて光ディスクからRAMに予め読み出し、ユーザが操作時にメニュー画面がRAM上にあればRAMから画面データを読み出すことで、メニュー画面の出画を高速化するものが知られている。
【０００４】
また、特許文献２では、操作者がタッチパネル部に対して押下操作を行う前に、その押下操作に対応する表示部品を事前に予測し、部品の拡大表示および音声によるガイドを行うことにより、操作者に対する操作性の向上を可能としている。
【０００５】
更に、特許文献３では、折り畳み携帯端末で、シェルが360度オープンの状態になったことを検出すると、TV受信機およびTV表示アプリケーションプログラムを起動して、メインディスプレイにTV映像信号を出力することで操作性の向上を可能としている。
【先行技術文献】
【特許文献】
【０００６】
【特許文献１】特開2009-70432号公報
【特許文献２】特開2009-3867号公報
【特許文献３】特開2006-211394号公報
【発明の概要】
【発明が解決しようとする課題】
【０００７】
しかしながら、特許文献１では、無操作の時に必ず読み出し処理が行われることになるため、読み出し回数が増え消費電流が大きくなるため、電池の持ちが悪くなる課題がある。
【０００８】
また、特許文献２では、本技術を携帯端末に適用する場合、ユーザが操作する意図が無いケースでもセンサが動作し、無駄な予測動作が動くため、処理量が増え電池の持ちが悪くなる課題がある。
【０００９】
特許文献３についても予め決められた１つの機能しか起動させることができず、またユーザが意図しないケースで課金対象となる機能が起動してしまうため、適用できる機能が限定され、折り畳み端末以外に本技術を適用することができないという課題があった。
【課題を解決するための手段】
【００１０】
本発明の携帯端末装置は、筐体と、前記筐体の表面に配置され、アイコンを表示する表示部と、前記表示部の表示面に沿って配置され、ポインタの表示面における位置と、ポインタと表示面との距離を検出するタッチパネル部と、前記アイコンに関連したプログラムデータが保持された第１のメモリデバイスと、前記第１のメモリデバイスよりアクセススピードの速い第２のメモリデバイスと、前記プログラムデータを実行するプロセッサと、前記プロセッサ、前記表示部、前記タッチパネル部、前記第１のメモリデバイス、又は前記第２のメモリデバイスに電力を供給する電池と、を備え、前記位置が前記アイコンに対応し、かつ前記距離が、第１の閾値と、前記第１の閾値より大きい第２の閾値との間である場合は、前記プログラムデータを前記第１のメモリデバイスから前記第２のメモリデバイスへ移動させ、  前記位置が前記アイコンに対応し、かつ前記距離が、前記第１の閾値より小さい場合、前記プロセッサは、前記第２のメモリデバイスに移動された前記プログラムデータを実行する。
【００１１】
この構成により、表示処理に必要となるプログラムデータを使用者の最終選択（ポインタがアイコンに対応し、かつ距離が第1の閾値より小さい）の前にアクセススピードの遅い第1のメモリデバイスからアクセススピードの速い第2のメモリデバイスに読み出しておき、最終選択の後では第2のメモリデバイスからプログラムデータを読み出すので、最終選択からプログラムデータが実行され表示されるまでの時間を短縮することが可能となる。  
【００１２】
また、本発明の携帯情報端末は、前記位置が前記アイコンに対応し、かつ前記距離が、第１の閾値と、前記第１の閾値より大きい第２の閾値との間である場合は、前記プログラムデータを前記第１のメモリデバイスから前記第２のメモリデバイスへ移動させる共に、前記プロセッサは前記第２のメモリデバイスから前記プログラムデータを読み出さず、前記位置が前記アイコンに対応し、かつ前記距離が、前記第１の閾値より小さい場合、前記プロセッサは前記第２のメモリデバイスから前記プログラムデータを読み出し実行する
この構成により、前記プログラムデータの実行処理を行わず前記第２のメモリデータに読み出すため、最終選択前に操作を止める場合は不要な実行処理を行わないため、消費電力を抑え、電池持ちを良くすることが可能となる。
【００１３】
また、本発明の携帯情報端末は、前記第２の閾値は実質的にゼロであり、前記第１の閾値より小さい場合は、前記ポインタが前記タッチパネルに接触する場合である。
【００１４】
この構成により、前記プログラムデータを前記第２のメモリデバイスに読み出すが、前記プロセッサは実行していない状態に前記タッチパネル部に接触する直前の状態を割り当て、前記プロセッサは前記第２のメモリデバイスより前記プログラムデータを実行している状態に前記タッチパネル部に接触している状態を割り当てることが可能となる。
【００１５】
また、本発明の携帯情報端末は、前記プログラムデータは、前記表示部に変化を与えるプログラムのデータであり、前記プロセッサが前記プログラムデータを実行すると前記表示部が変化する。
【００１６】
この構成により、前記プロセッサが前記プログラムデータを実行することで前記表示部が変化し、画面表示を行うことが可能となる。
【００１７】
また、本発明の携帯情報端末は、前記第２の閾値より大きい第３の閾値を備え、前記位置が前記アイコンに対応し、かつ前記距離が、前記第１の閾値と、前記第２の閾値との間である場合は、前記プログラムデータを前記第１のメモリデバイスから前記第２のメモリデバイスへ移動させる共に、前記プロセッサは前記第２のメモリデバイスから前記プログラムデータを読み出さず、  前記位置が前記アイコンに対応し、かつ前記距離が、前記第１の閾値より小さい場合、前記プロセッサは前記第２のメモリデバイスから前記プログラムデータを読み出し実行する第１の状態と、前記位置が前記アイコンに対応し、かつ前記距離が、第１の閾値と、第３の閾値との間である場合は、前記プログラムデータを前記第１のメモリデバイスから前記第２のメモリデバイスへ移動させる共に、前記プロセッサは前記第２のメモリデバイスから前記プログラムデータを読み出さず、  前記位置が前記アイコンに対応し、かつ前記距離が、前記第１の閾値より小さい場合、前記プロセッサは前記第２のメモリデバイスから前記プログラムデータを読み出し実行する第２の状態と、を備え、前記携帯情報端末の状態に応じて、前記第１の状態と前記第２の状態を切り替える。
【００１８】
この構成により、携帯情報端末の電池持ちを優先する状態と、画面表示の高速化を優先する状態を切り替えて使用することが可能となる。
【００１９】
また、本発明の携帯情報端末は、前記第１の閾値と前記第２の閾値が実質的に同一である。
【００２０】
この構成により、前記第１の状態では、前記プログラムデータを前記第１のメモリデバイスから前記第２のメモリデバイスへの読み出しを行わず、前記プロセッサは前記第１のメモリデバイスから前記プログラムデータを読み出し実行する。
【００２１】
また、本発明の携帯情報端末は、前記筐体の鉛直方向を基準にした角度を検出する傾き検出部を備え、前記角度が所定の範囲内である場合は、前記第２の状態とし、前記角度が前記所定の範囲外である場合は、前記第１の状態とする。
【００２２】
この構成により、使用者が携帯情報端末を操作する場合のみ前記第２の状態とすることができるため、使用者が携帯端末を操作しない場合は消費電力を抑えることが可能となる。
【００２３】
また、本発明の携帯情報端末は、前記筐体は、開閉可能であり、前記筐体が開いている場合、前記第２の状態とし、前記筐体が閉じている場合、前記第１の状態とする。
【００２４】
この構成により、筐体が閉じている場合、前記プログラムデータの読み出し処理は行わないため、使用者が操作しないときの無駄な処理を抑えることができ、消費電力を抑えることが可能となる。
【００２５】
また、本発明の携帯情報端末は、前記電池の残容量が所定値より多い場合第２の状態とし、前記所定値より少ない場合第１の状態とする。
【００２６】
この構成により、前記電池の残容量が少ない場合には前記第１の状態とすることで、消費電力を抑えることが可能となる。
【発明の効果】
【００２７】
本発明の画面表示高速化によれば、画面表示に必要となるプログラムデータを使用者がタッチパネル部に接触する直前に読み出しておくことで、操作時の画面表示を高速化することができる。
【００２８】
また、端末の傾きや電池残量に応じて前記第１の状態と第２の状態を切り替えることにより、使用者が意図しない場合には電力消費を抑えることが可能となる。
【図面の簡単な説明】
【００２９】
【図１】本発明の実施の形態における、情報携帯端末の全体構成を示す図
【図２】本発明の実施の形態における、タッチパネル部とポインタの距離および閾値を示す図
【図３】本発明の実施の形態における、プログラムデータの読み出し処理の一例を示す図
【図４】本発明の実施の形態における、プログラムデータの実行処理の一例を示す図
【図５】本発明の実施の形態における、電池残量に応じて閾値を設定する処理の一例を示す図
【図６】本発明の実施の形態における、端末角度に応じて閾値を設定する処理の一例を示す図
【図７】本発明の実施の形態における、端末開閉状態に応じて閾値を設定する処理の一例を示す図
【発明を実施するための形態】
【００３０】
以下、本発明の実施の形態について、図面を参照しながら説明する。
【００３１】
（実施の形態１）
図１は、本発明の画面表示高速化の全体構成図である。図１に示すように、本発明の実施の形態における画面表示高速化は表示部１１、第１のメモリデバイス１２、第２のメモリデバイス１３、プロセッサ１４、電池１５、傾き検出部１６、開閉検出部１７から構成される。
【００３２】
表示部１１は筐体１の表面に配置され、メニューアイコンデータを表示する機能を有し、表示部１１の表示面に沿ってタッチパネル部１１１が配置される。タッチパネル部１１１は、使用者の指やタッチペンなどのポインタ２との距離２１を２段階で検出する機能を有し、ポインタ２との表示面におけるＸ座標とＹ座標位置を検出する機能を有する。
【００３３】
第１のメモリデバイス１２にはメニューアイコン表示を行うプログラムデータ１２１が格納されており、プロセッサ１４はプログラムデータ１２１を読み出し実行することで、表示部１１にメニューアイコンを表示する機能を有する。
【００３４】
第２のメモリデバイス１３は第１のメモリデバイス１２より高速に読み出し可能なデバイスである。第１のメモリデバイス１２から読み出し実行する場合に比べ、第２のメモリデバイス１３から読み出し実行する場合の方が表示部１１にアイコン表示を高速に行うことが可能である。
【００３５】
プロセッサ１４はタッチパネル部１１１からＸ座標、Ｙ座標、ポインタ２との距離を受け取り、ポインタ２との距離に応じて、プログラムデータ１２１を第１のメモリデバイスから第２のメモリデバイス１３に読み出す処理を行う他、プログラムデータを実行し、表示部１１への表示処理を行う。  電池１５は筐体各ブロックに電力を供給する機能および、電池残量をプロセッサ１４に通知する機能を有する。
【００３６】
傾き検出部１６はセンサデバイスから構成され、端末の傾きを検出し、プロセッサ１４に通知する機能を有する。  開閉検出部１７は端末の開閉状態を検出し、プロセッサ１４に通知する機能を有する。
【００３７】
図２はポインタ２とタッチパネル部１１１との距離２１とその閾値を示したものである。タッチパネル部１１１は距離２１が第１の閾値２２と第２の閾値２３の間にあることを検出すると、プロセッサ１４に割り込みとして通知を行う。また、タッチパネル部１１１は距離２１が第１の閾値２２よりも小さいことを検出すると、プロセッサ１４に割り込みとして通知を行う。第１の閾値２２は限りなく０に近い値であり、距離２１が第１の閾値２２よりも小さい場合はポインタ２がタッチパネル部１１１に接触していることを意味し、使用者がキーを押下している状態であると見なすことができる。本構成により、タッチパネル部１１１に接触する直前の状態はプログラムデータ１２１が第２のメモリデバイス１３に読み出されるが、プロセッサ１４がプログラムデータ１２１を実行していない状態に、タッチパネル部１１１に接触している状態はプロセッサ１４がプログラムデータ１２１を実行している状態にそれぞれ割り当てることが可能となる。
【００３８】
図３は距離２１が、第１の閾値２２と第２の閾値２３の間にあることを検出した場合の処理フローについて説明したものである。 タッチパネル部１１１は距離２１が第一の閾値２２と第２の閾値２３との間にあることを検出すると（Ｓ３−２）、プロセッサ１４に割り込みとして通知を行う（Ｓ３−３）。プロセッサ１４はポインタ２のタッチパネル部１１１上のＸ座標とＹ座標をタッチパネル部１１１より取得し、該当するアイコンデータの計算を行い（Ｓ３−４）、第２のメモリデバイス１３に空き容量がある場合（Ｓ３−５）はアイコンデータに関連するプログラムデータ１２１を第１のメモリデバイスから第２のメモリデバイスに読み出す（Ｓ３−６）。
【００３９】
図４は距離２１が第一の閾値２２よりも小さいことを検出した場合の処理フローについて説明したものである。距離２１が第一の閾値２２よりも小さいことを検出すると（Ｓ４−２）、プロセッサ１４に割り込みとして通知を行う（Ｓ４−３）。プロセッサ１４はポインタ２のタッチパネル部１１１上のＸ座標とＹ座標をタッチパネル部１１１より取得し、該当するアイコンデータの計算を行う（Ｓ４−４）。アイコンデータに関連するプログラムデータ１２１を実行するにあたって、プログラムデータ１２１が第２のメモリデバイス１３に読み出されている場合は（Ｓ４−５）、プロセッサ１４は第２のメモリデバイス１３からプログラムデータ１２１を読み出し実行する（Ｓ４−６）。プログラムデータ１２１が第２のメモリデバイス１３に読み出されていない場合は、プロセッサ１４は第１のメモリデバイス１２からプログラムデータ１２１を読み出し実行する（Ｓ４−７）。図３、図４の構成により、使用者の最終選択（距離２１が第一の閾値２２よりも小さい）前に第１のメモリデバイス１２から第２のメモリデバイス１３にプログラムデータ１２１を読み出しておき、最終選択の後では第２のメモリデバイス１３からプログラムデータ１２１を読み出すので、最終選択からプログラムデータが実行され、表示されるまでの時間を短縮することが可能となる。また、距離２１が、第１の閾値２２と第２の閾値２３の間にあるときはプログラムデータ１２１は実行されないため、最終選択前に操作を止める場合はプログラムデータ１２１の実行処理が行われない分、消費電力を抑えることができ、電池持ちをより良くすることが可能となる。
【００４０】
図５は電池残量が少なくなった場合の処理フローについて説明したものである。電池１５の電池容量が所定値より小さくなったことを検出すると（Ｓ５−２）、プロセッサ１４に対して割り込みとして通知を行う。このとき、プロセッサ１４は第２の閾値２３を第１の閾値２２と同じ値に設定する（Ｓ５−３）。これにより第１のメモリデバイス１２から第２のメモリデバイスへの読み出しは行われなくなり、高速な画面表示は行われなくなるが、プロセッサ１４の処理量およびメモリアクセス回数を減らすことができるため省電力優先状態となる。電池容量が十分ある場合は、第２の閾値２３は第１の閾値２２よりも大きい値を設定することで、図３の高速表示状態を実現でき、省電力優先状態と高速表示状態を切り替えて使用することが可能となる。
【００４１】
図６は端末の傾きを検出し、高速表示状態の有効無効を切り替える場合の処理フローについて説明したものである。傾き検出部１６は端末角度が所定の角度範囲外になった場合（Ｓ６−２）、プロセッサ１４に通知を行う。このとき、プロセッサ１４は第２の閾値２３を第１の閾値２２と同じ値に設定する（Ｓ６−３）ことで、高速表示状態の有効無効を切り替えることを可能とする。本構成により、端末の傾きにより使用者が携帯端末を操作していないことを判断すると、高速表示を無効とし消費電力を抑えることが可能となる。
【００４２】
図７は端末の開閉状態を検出し、高速表示状態の有効無効を切り替える場合の処理フローについて説明したものである。開閉検出部１７は端末開閉状態をプロセッサ１４に通知を行う（Ｓ７−２）。このとき、プロセッサ１４は端末が閉状態の場合（Ｓ７−３）、第２の閾値２３を第１の閾値２２と同じ値に設定する（Ｓ７−４）ことで、高速表示状態の有効無効を切り替えることを可能とする。本構成により、端末の開閉状態により使用者が携帯端末を操作していないことを判断すると、高速表示を無効とし消費電力を抑えることが可能となる。
【００４３】
図５、図６、図７で説明した通り、電池残量と端末角度、端末開閉状態に応じて、高速表示状態と省電力優先状態を切り替えることを可能とし、電池残量が十分にあり、端末角度が所定の角度範囲内に入っており、端末が開状態である場合のみ高速表示状態とする。
【産業上の利用可能性】
【００４４】
本発明にかかる情報端末装置は、タッチパネルを備える情報端末で利用可能である。
【符号の説明】
【００４５】
１    筐体
１１    表示部
１１１    タッチパネル部
１２    第１のメモリデバイス
１２１    プログラムデータ
１３    第２のメモリデバイス
１４    プロセッサ
１５    電池
１６    傾き検出部
１７    開閉検出部
２    ポインタ
２１    ポインタとタッチパネル部との距離
２２    第１の閾値
２３    第２の閾値
【図１】
2011253272.tif 000003
【図２】
2011253272.tif 000004
【図３】
2011253272.tif 000005
【図４】
2011253272.tif 000006
【図５】
2011253272.tif 000007
【図６】
2011253272.tif 000008
【図７】
2011253272.tif 000009